(57)【要約】【課題】近年大型化しつつある各種用水をストックするための貯水槽において、水藻の発生を抑制する、貯水槽内部の清掃等を可能とするなどの貯水槽の必要機能を有しつつ、従来技術の固定式屋根に比べ安価となる浮屋根式貯水槽を提供する。【解決手段】貯水槽の底盤１１から上方に向かって延びるとともに、内部の水が無い時に浮屋根１３を支持して前記浮屋根１３と前記底盤１１との間に空間を形成可能とする支柱２１を備える。【選択図】図２
2009127331.tif 000002
【特許請求の範囲】
【請求項１】
底盤から上方に向かって延びるとともに、内部の水が無い時に浮屋根を支持して前記浮屋根と前記底盤との間に空間を形成可能とする支柱を備えることを特徴とする浮屋根式貯水槽。
【請求項２】
前記支柱はスロッシング低減部材を兼ねることを特徴とする請求項１に記載の浮屋根式貯水槽。
【請求項３】
前記支柱の上端にフランジを備えることを特徴とする請求項１または２に記載の浮屋根式貯水槽。
【発明の詳細な説明】
【技術分野】
【０００１】
本発明は、農作物への給水、火災の消化、或いは非常時の飲料水の確保等に用いられる浮屋根式貯水槽の、維持管理を容易にするための内部構造に関する。
【背景技術】
【０００２】
農作物へ与える農業用水、火災時の消火用水、或いは非常災害時の飲料水を一時的にストックしておくための施設として各種の貯水槽がある。これらの貯水槽では従来、ドーム型などの固定式の屋根を採用しているのが一般的であった。
【０００３】
しかしながら、近年、貯水槽の規模が大型化される傾向にあり、固定式屋根はコストの面から貯水槽の屋根としては適さなくなってきていた。すなわち、固定式の屋根は規模が大きくなるにつれて高価になるため、貯水槽を大型化するほど建設コストがかさむという問題が生じていた。
【０００４】
こうした問題を解決する方法の一つとして、石油タンク等に用いられている浮屋根を貯水槽の屋根として採用するようになった。浮屋根は固定式屋根に比べ安価であるため、建設コストを抑えつつ貯水槽を大型化することが可能となった。
【０００５】
浮屋根式を採用することで、地震時のスロッシング、水藻の発生、雨水や塵芥の侵入といった新たな問題が生じることとなったが、これらの諸問題に対処するための技術が考案されている。その例としては、浮屋根式タンクの内側の全周に複数の支柱を設け、その支柱に対応する穴を開けた浮屋根を貫通させることで、地震時に屋根を抑えてスロッシングを低減する貯水槽（特許文献１参照）、浮屋根外周部のポンツーン上に堰板を設けることで、スロッシング現象発生時に貯蔵液が溢れても、貯蔵液が屋根板上部全体に拡散するのを防止できる貯水槽（特許文献２参照）、天蓋となるフレキシブルシートで上部を覆い、そのシートの上に水を満たすことで、木葉・小枝等の塵芥の混入やアオコや水草等の発生を防止すると共にシートの劣化を防ぐことができる貯水槽（特許文献３参照）、浮屋根の一部又は全体をフレキシブルシートで構成し、雨水等の余剰水を効率よく排出できる貯水槽（特許文献４参照）、シートで形成した天蓋の上に保護用の水の層を設けることで、寒冷地の凍結等に対する耐久性を高めた水中潜行型天蓋付き貯水槽（特許文献５参照）がある。
【特許文献１】特開２００５−２４７４２０号公報
【特許文献２】特開２００５−２３９２４３号公報
【特許文献３】特許第３４９３５５３号公報
【特許文献４】特許３９０２５１７号公報
【特許文献５】特開２００５−２６４６０２号公報
【発明の開示】
【発明が解決しようとする課題】
【０００６】
しかし、従来の浮屋根式の貯水槽では、貯水槽内の水位の変化に伴って浮屋根が上下移動するので、貯水槽内に水が無い時には浮屋根が底盤の位置まで下がってしまうという欠点があった。その結果、貯水槽内部に人が立ち入る空間を確保できないため、清掃等の維持管理を定期的に行う必要があるにも関わらず、その作業が困難であるという問題があった。
【０００７】
本発明の課題は、近年大型化しつつある各種用水をストックするための貯水槽において、水藻の発生を抑制する、貯水槽内部の清掃等を可能とするなどの貯水槽の必要機能を有しつつ、従来技術の固定式屋根に比べ安価となる浮屋根式貯水槽を提供することである。
【課題を解決するための手段】
【０００８】
以上の課題を解決するため、請求項１に記載の発明は、底盤から上方に向かって延びるとともに、内部の水が無い時に浮屋根を支持して前記浮屋根と前記底盤との間に空間を形成可能とする支柱を備えることを特徴としている。
【０００９】
請求項２に記載の発明は、請求項１に記載の浮屋根式貯水槽であって、前記支柱はスロッシング低減部材を兼ねることを特徴としている。
【００１０】
請求項３に記載の発明は、請求項１または２に記載の浮屋根式貯水槽であって、前記支柱の上端にフランジを備えることを特徴としている。
【発明の効果】
【００１１】
本発明によれば、貯水槽の屋根として浮屋根式を採用することにより、屋根の荷重が貯水槽本体に作用しないため、貯水槽本体の建設コストを低減することが可能となる。また、貯水槽内に水が無いとき、浮屋根が支柱に支えられ底盤と浮屋根の間に人が立ち入るための空間が確保できるので、清掃等の維持管理作業を容易に行うことができる。
【発明を実施するための最良の形態】
【００１２】
以下、図を参照して本発明を実施するための最良の形態を詳細に説明する。
図１は、浮屋根式貯水槽の一実施形態の構成を示すもので、１は貯水槽、１１は底盤、１２は側壁、１３は浮屋根、２１は支柱、２２はフランジである。
【００１３】
底盤１１には上方に向かって垂直に支柱２１が複数本立てられている。支柱２１は後述するように浮屋根１３を支えるものとなるので、支柱２１の高さは全て等しく、なるべく対称かつ等間隔に配置するのが望ましい。貯水槽１に水が満たされているときには、図１に示す通り浮屋根１３が水に浮いて支柱２１の上端と浮屋根１３の裏面とは離間した状態となっている。
【００１４】
また、支柱２１の上端にはフランジ２２がそれぞれ一体に形成されている。このフランジ２２により支柱２１の上端には図１に示すように、支柱２１の断面よりも広い平面が形成されることになる。
【００１５】
地震によって貯水槽１にスロッシング現象が発生した場合、貯水槽１内部の貯蔵水及び浮屋根１３は大きく揺れ動くことになるが、底盤１１に設けられた支柱２１が貯蔵水に渦を発生させることで貯水槽１内部のスロッシングエネルギーを逸散させ、浮屋根１３の動揺を低減することができる。また、支柱２１の上端に設置されたフランジ２２が、貯蔵水の上下運動を抑制するため、共振時の浮屋根１３の動揺も大きく低減させることが可能となる。このように支柱２１及びフランジ２２はスロッシング低減部材として機能している。
【００１６】
また、支柱２１及びフランジ２２はその形状、配置、施工順序等を工夫することで、浮屋根１３を施工する際の支保工として用いることも可能である。
【００１７】
ところで、貯水槽１の内部に貯蔵水を溜めたまま時間が経過すると、貯水槽１の内壁及び浮屋根１３の裏面にはアオコなどの水藻が発生してくるので、これを定期的に除去する必要が生じる。貯水槽１の内部を清掃するには、まず、貯蔵水を全て外に排水する必要がある。貯蔵水の排出が始まると水位が低下し、それと共に浮屋根１３も下がってくる。
【００１８】
浮屋根１３が支柱２１の上端の位置まで降りてくると、浮屋根１３の内面は支柱２１の上端に支えられ、それ以上下降せずに静止する。貯蔵水が全て排水されると貯水槽１の中には図２に示すように底盤１１、側壁１２、浮屋根１３に囲まれた空間２が形成される。支柱２１の高さを人の背丈より高くしておくことで、空間２を人が容易に立ち入ることのできる広さにすることができる。
【００１９】
農業用水や消火用水のように飲料用として用いることの無い水を溜めておく場合には、浮屋根１３に孔を設けることで、浮屋根１３の上部に溜まった雨水を貯水槽１の内部に補給できるようにすることも可能である。勿論、非常時の飲料水として用いるなど、雨水を内部に流入させずに溜めておきたい場合には、フレキシブルホース等を屋根上部の孔に設置して雨水を外に排出するようにしてもよい。
【００２０】
なお、以上の実施形態においては貯水槽としたが、本発明はこれに限定されるものではなく、他の液体貯留槽であっても良い。
また、支柱の本数、配置、高さ等は浮屋根を水平に支えることができる限り自由である。更に、フランジについては支柱に別部材として取り付けるものであってもよいし、形状、数量、取り付け位置等についても任意であり、その他、具体的な細部構造等についても適宜に変更可能であることは勿論である。
【図面の簡単な説明】
【００２１】
【図１】本発明を適用した一実施形態の構成を示す正面図である。
【図２】本発明を適用した一実施形態の構成を示す正面図である。
【符号の説明】
【００２２】
１  貯水槽
２  空間
１１  底盤
１２  側壁
１３  浮屋根
２１  支柱（スロッシング低減部材）
２２  フランジ（スロッシング低減部材）
【図１】
2009127331.tif 000003
【図２】
2009127331.tif 000004